(57)【要約】【課題】液状内容物を包装するための柔軟フィルム製の大型や小型の袋状パッケージ、あるいは、その袋状パッケージ内の液状内容物の充填量の多少に関わらず、スパウトの注出開口部の閉塞を防止して、スパウトから袋状パッケージ内の内容物を注出し易くすることにある。【解決手段】柔軟フィルム包材製の袋状パッケージＡに孔設した孔設部の外周端部に取り付けられるスパウトＢにおいて体１の下部開口部４の外周に下部フランジ部２を備え、該下部フランジ部２の構造内部に孔設した下部開口部４の内周面から下部フランジ部２の外周端面に連通する孔設流路６を備え、該下部フランジ部２の上面が、袋状パッケージＡに設けた孔設部Ａ2 の外周端部の内面にヒートシールして取り付けられる。【選択図】図１
2010260560.tif 000002
【特許請求の範囲】
【請求項１】
柔軟フィルム包材製の袋状パッケージＡに孔設した孔設部の外周端部に取り付けられるスパウトＢにおいて、筒体１の下部開口部４の外周に下部フランジ部２を備え、該下部フランジ部２の構造内部に孔設した下部開口部４の内周面から下部フランジ部２の外周端面に連通する孔設流路６を備え、該下部フランジ部２の上面が、袋状パッケージＡに設けた孔設部Ａ2 の外周端部の内面にヒートシールして取り付けられることを特徴とする閉塞防止機能付きスパウト。
【請求項２】
前記下部フランジ部２の内部に孔設した孔設流路６は、下部開口部４の内周面から下部フランジ部２の外周端面に向けて１乃至４本又は放射状に複数本を備えることを特徴とする請求項１記載の閉塞防止機能付きスパウト。
【発明の詳細な説明】
【技術分野】
【０００１】
本発明は、液状内容物を包装する柔軟フィルム製の袋状パッケージに取り付けられる閉塞防止機能付きスパウトに関する。
【背景技術】
【０００２】
一般的に液状内容物を包装するための袋状パッケージには、図４の側断面図に示すように、柔軟フィルム包材製の袋状パッケージＡ（パウチ等）内に充填密封されている内容物を密封したり注出したりするための筒状のスパウトＢが、その下部フランジ部２の下面を柔軟フィルム包材の袋状パッケージＡに孔設した孔設部Ａ2 の表面にヒートシールにて接着されて取り付けられている。
【０００３】
このような袋状パッケージＡにおいては、スパウトＢから、その上部注出開口部３を密封封鎖している蓋部Ｃ（あるいはプルオフ方式のプルリング付き板状閉鎖蓋）を取り外して開封し、スバウトＢの上部注出開口部３からパウチＡ内の液状内容物Ｄを排出した際に、密封空間のパウチＡ内は減圧され、スパウトの下部注出開口部４と、それに対向するフィルム包材Ａ1 の内面とが、その減圧量と内容物重量による負荷により接して密着して、フィルム包材Ａ1 内面がスパウトＢの下部注出開口部４を閉塞し、結果としてスパウトＢから袋状パッケージＡ内に残留する内容物Ｄを注出し難くなる。
【０００４】
このような袋状パッケージＡのフィルム包材Ａ1 のスパウトＢに対する密着による閉塞現象を防止するための対策としては、例えば特許文献１、２がある。例えば、図４に示すように、スパウトＢ本体を袋状パッケージＡ面に取り付けるためのスパウトＢのフランジ部２における前記袋状パッケージＡの対向するフィルム包材Ａ1 内面と接するスパウトＢのフランジ部２の下面には、図４及び図５の下面図に示すように、該下部注出開口部４内に連通する複数の溝部５が放射状に設けられている。
【０００５】
これにより、図６に示すように、内容物Ｄを注出した際のパウチＡ内の減圧により、スパウトＢの下部注出開口部４及び下部フランジ部２下面と、フィルム包材Ａ1 内面とが接して密着しても、溝部５は閉塞されず、フランジ部２下面の溝部５と該フランジ部２下面に密着したフィルム包材Ａ1 とによる流路が形成されて、袋状パッケージＡ内の内容物Ｄは、その溝部５を通って下部注出開口部４内に流動してスパウトＢから排出されることになる。
【０００６】
しかしながら、袋状パッケージＡ内の液状内容物の充填量の多い場合は、スパウトＢからの内容物Ｄの排出によるパウチＡ内の減圧時におけるパッケージ内に掛かる内容物重量による負荷が多大になる。特に大型の袋状パッケージの場合には、充填包装されている内容物重量が大きいため、スパウトＢからの内容物Ｄの注出によりパッケージＡ内に係る減圧量及び内容物重量による負荷も多大になる。
【０００７】
そのため、パウチＡ内の液状内容物ＤをスパウトＢから排出した際に、スパウトＢの下部注出開口部４下部及びフランジ部２下面と、それに対向するフィルム包材Ａ1 内面とが、その減圧量と内容物重量による負荷により接して密着し、さらにフランジ部２下面の溝部５と該フランジ部２下面に密着したフィルム包材Ａ1 とによる流路が、全面的又は部分的に塞がれて、結果としてスパウトＢから内容物Ｄが注出し難くなる場合がある。
【先行技術文献】
【特許文献】
【０００８】
【特許文献１】特開２００５−２３１６８６号公報
【特許文献２】特表平２−５００８３１号公報
【発明の概要】
【発明が解決しようとする課題】
【０００９】
本発明の課題は、液状内容物を包装するための柔軟フィルム製の大型や小型の袋状パッケージ、あるいは、その袋状パッケージ内の液状内容物の充填量の多少に関わらず、スパウトの注出開口部の閉塞を防止して、スパウトから袋状パッケージ内の内容物を注出し易くすることにある。
【課題を解決するための手段】
【００１０】
本発明の請求項１に係る発明は、柔軟フィルム包材製の袋状パッケージＡに孔設した孔設部の外周端部に取り付けられるスパウトＢにおいて、筒体１の下部開口部４の外周に下部フランジ部２を備え、該下部フランジ部２の構造内部に孔設した下部開口部４の内周面から下部フランジ部２の外周端面に連通する孔設流路６を備え、該下部フランジ部２の上面が、袋状パッケージＡに設けた孔設部Ａ2 の外周端部の内面にヒートシールして取り付けられることを特徴とする閉塞防止機能付きスパウトである。
【００１１】
本発明の請求項２に係る発明は、上記請求項１に係る閉塞防止機能付きスパウトにおいて、前記下部フランジ部２の内部に孔設した孔設流路６は、下部開口部４の内周面から下部フランジ部２の外周端面に向けて１乃至４本又は放射状に複数本を備えることを特徴とする閉塞防止機能付きスパウトである。
【発明の効果】
【００１２】
本発明の閉塞防止機能付きスパウトによれば、スパウト本体下部フランジ部２の内部に、下部開口部４の内周面から下部フランジ部２の外周端面に向けて連通する孔設流路６が、スパウト本体と同様の材質にて形成された下部フランジ部２の構造体内部に孔設されている。そのため、本発明のスパウトを取り付けた袋状パッケージＡ内に充填されている内容物Ｄを注出した際に、そのパウチＡ内に減圧が生じて、スパウトＢの下部注出開口部４及び下部フランジ部２下面と、それらと対向するフィルム包材Ａ1 内面とが接して密着しても、孔設流路６はその流路の内径に変動がなく閉塞されず、該孔設流路６による流路が保持されて、袋状パッケージＡ内の内容物Ｄは、下部フランジ部２の外周端面から孔設流路６を通って下部注出開口部４内に流動してスパウトＢから良好な流動性にて排出される効果がある。
【００１３】
このように本発明の閉塞防止機能付きスパウトによれば、特に大型の袋状パッケージの場合に袋状パッケージＡ内の液状内容物の充填量が多く、スパウトＢからの内容物Ｄの注出によりパッケージＡ内に係る減圧量及び内容物重量による負荷も多大になっても、孔設流路６は保持されて塞がれることがなく、結果として、袋状パッケージの大小に係わりなく、スパウトＢから内容物Ｄを円滑に注出することができる。
【図面の簡単な説明】
【００１４】
【図１】本発明の閉塞防止機能付きスパウト及びそれを取付けた袋状パッケージの側断面図。
【図２】本発明の閉塞防止機能付きスパウトの下面図。
【図３】本発明の閉塞防止機能付きスパウトを取付けた袋状パッケージから内容物を注出した状態を説明する側断面図。
【図４】従来の閉塞防止機能付きスパウト及びそれを取付けた袋状パッケージの側断面図。
【図５】従来の閉塞防止機能付きスパウトの下面図。
【図６】従来の閉塞防止機能付きスパウトを取付けた袋状パッケージから内容物を注出した状態を説明する側断面図。
【発明を実施するための形態】
【００１５】
本発明の閉塞防止機能付きスパウトを図面に基づいて詳細に説明すれば、図１は本発明のスパウトＢ及びそれを取り付けた袋状パッケージＡの側断面図であり、本発明のスパウトＢは、熱可塑性合成樹脂により成型加工されていて、注出用筒体１と該注出用筒体１に備える上部開口部３と下部開口部４とを備え、その下部開口部４の外周には偏平状の下部フランジ部２を備えている。
【００１６】
前記下部フランジ部２の構造内部には、下部フランジ部２の外周端面から下部開口部４の内周面に連通する孔設流路６が成型加工などにて孔設されていて、図示するように、本発明の閉塞防止機能付きスパウトＢは、下部フランジ部２の上面が、柔軟フィルム包材製の袋状パッケージＡの包材Ａ1 の所定個所に設けられた注出用の孔設部Ａ2 の外周端部の包材内面側にヒートシールにて取り付けられるものである。なお、スパウトＢの上部開口部３側には、螺着方式、凹凸嵌合方式、又はプルリング付きハーフカット・プルオフ方式などの蓋体Ｃが施蓋されて、内容物は袋状パッケージＡ内に密封包装されるものである。なお、孔設流路６の流路内径（最大口径）は、少なくとも偏平形状の下部フランジ部２の厚さよりも小さく設定されているが、本発明においては特に限定されるものではない。
【００１７】
図２は本発明のスパウトＢを下部フランジ部２側から見た下面図であり、下部フランジ部２の構造内部に孔設されている前記孔設流路６は、下部開口部４の内周面から下部フランジ部２の外周端面に向けて、１乃至４本、又は放射状に複数本を備えている。
【００１８】
図３は、本発明のスパウトＢを取り付けた袋状パッケージＡのスパウトＢから、液状内容物Ｄを注出した状態を説明する側断面図であり、袋状パッケージＡ内に充填されて密封包装されている内容物Ｄを注出した際は、袋状パッケージＡ（パウチＡ）内部は、内容物Ｄの注出によるエアーの排出により減圧されて、スパウトＢの下部注出開口部４及び下部フランジ部２下面と、フィルム包材Ａ1 内面とが接して密着しても、下部フランジ部２の構造内部に孔設されている孔設流路６は、その流路内径に変動がなく閉塞されない。
【００１９】
そのため、孔設流路６は、その内容物の流動する流路が保持されて、袋状パッケージＡ内の内容物Ｄ（袋状パッケージＡ内に残留する内容物など）は、下部フランジ部２の外周端面７から、孔設流路６を通って、下部注出開口部４内に流動して、スパウトＢから良好な流動性にて排出される。
【符号の説明】
【００２０】
Ａ…袋状パッケージ
Ａ1 …包材
Ａ2 …注出用孔設部の周端部
Ｂ…スパウト
Ｃ…蓋体
Ｄ…内容物
１…注出用筒体
２…下部フランジ部
３…上部開口部
４…下部開口部
５…溝部
６…孔設流路
７…下部フランジ部の外周端面
【図１】
2010260560.tif 000003
【図２】
2010260560.tif 000004
【図３】
2010260560.tif 000005
【図４】
2010260560.tif 000006
【図５】
2010260560.tif 000007
【図６】
2010260560.tif 000008